(57)【要約】【課題】複数の陳列物を同時に展示でき、かつ、陳列物の取り出しが容易な文房具用陳列箱を提供する。【解決手段】陳列部８２の底面を形成する載置部７０を有し、載置部７０は、支持棒１２２に吊り下げられた状態を基準として、水平面に対して傾斜しており、載置部７０上における消しゴムの下流側への移動を係止する折り返し部５４を有し、折り返し部５４は、陳列部８２の内外を連通させる切り欠き部５６を備える構成とする。こうすることによって、複数の陳列物を同時に展示でき、かつ、陳列物の取り出しが容易となる。【選択図】図２
2016097262.tif 000002
【特許請求の範囲】
【請求項１】
支持棒に吊り下げ可能な文房具用陳列箱であって、
複数の陳列物を陳列可能な陳列部を備えた文房具用陳列箱において、
前記陳列部の底面を形成する載置部を有し、
前記載置部は、支持棒に吊り下げられた状態を基準として、水平面に対して傾斜しており、
前記載置部上における陳列物の下流側への移動を係止する係止部を有し、
前記係止部は、陳列部の内外を連通させる切り欠き部を備えることを特徴とする文房具用陳列箱。
【請求項２】
前記切り欠き部の切り欠き幅は、前記陳列物の長手方向の１／３以上４／５以下であることを特徴とする請求項１に記載の文房具用陳列箱。
【請求項３】
前記載置部の水平面に対する傾斜角度は、３０度以上６０度以下であることを特徴とする請求項１又は２に記載の文房具用陳列箱。
【請求項４】
前記載置部を備えた傾斜形成部材を有し、
前記傾斜形成部材は、一枚の紙状体を折り曲げて形成されており、
前記傾斜形成部材は、前記載置部を傾斜姿勢に維持する脚部を備えていることを特徴とする請求項１〜３のいずれかに記載の文房具用陳列箱。
【請求項５】
外郭を形成する外郭形成部材を有し、
前記外郭形成部材は、一枚の紙状体を折り曲げて形成されており、
前記外郭形成部材は、正面を形成する正面壁部と、正面壁部の端部から折り返されて形成される折り返し部を有し、
前記係止部は、前記折り返し部によって形成されており、
前記折り返し部は、その先端部位に固定片を有し、
前記固定片は、載置部の一部に挿入されていることを特徴とする請求項１〜４のいずれかに記載の文房具用陳列箱。
【請求項６】
所定の間隔を空けて対向する少なくとも２つの壁部を有し、
前記２つの壁部のうち、一方の壁部は、正面の壁部を構成する正面壁部であり、
前記２つの壁部に跨って支持棒が挿通されていることを特徴とする請求項１〜５のいずれかに記載の文房具用陳列箱。
【請求項７】
前記２つの壁部のうち、他方の壁部は、背面の壁部を構成する背面壁部であることを特徴とする請求項６に記載の文房具用陳列箱。
【発明の詳細な説明】
【技術分野】
【０００１】
本発明は、消しゴムやステープラー芯の収容箱等の文房具を陳列する文房具用陳列箱に関する。
【背景技術】
【０００２】
従来から、文具店では、上方が開口した直方体状の陳列箱に消しゴムを敷き詰めて販売されている（例えば、特許文献１）。すなわち、従来の文具店では、陳列箱の中に何段にも消しゴムを積み重ねるとともに、隙間なく面状に敷き詰めて陳列棚上に載置して販売されている。
【０００３】
しかしながら、特許文献１に記載の陳列箱の場合、消しゴムが密集した状態で売られているため、購買者が消しゴムを取り出しにくいという問題がある。
そこで、従来から消しゴムの陳列方法として、陳列箱から消しゴムを取り出し、ゴンドラ什器に設けられたフックバーに消しゴムを１つずつ個別に陳列する方法がある。この方法によれば、フックバーに消しゴムが個別に陳列されているので、消しゴムを取り出しやすいという利点がある。
【先行技術文献】
【特許文献】
【０００４】
【特許文献１】特開２００８−２８５２２０号公報
【発明の概要】
【発明が解決しようとする課題】
【０００５】
しかしながら、この方法の場合、一本のフックバーに対して陳列できる消しゴムの数が少なく、補充回数が増えるという問題がある。また、この方法の場合、消しゴムの包装の一部にフックバーに対して引っかけるための引掛け穴が必要となり、当該引掛け穴を備えた消しゴムしか陳列できないという問題がある。
【０００６】
そこで、本発明は、複数の陳列物を同時に展示でき、かつ、陳列物の取り出しが容易な文房具用陳列箱を提供することを課題とする。
【課題を解決するための手段】
【０００７】
上記した課題を解決するための請求項１に記載の発明は、支持棒に吊り下げ可能な文房具用陳列箱であって、複数の陳列物を陳列可能な陳列部を備えた文房具用陳列箱において、前記陳列部の底面を形成する載置部を有し、前記載置部は、支持棒に吊り下げられた状態を基準として、水平面に対して傾斜しており、前記載置部上における陳列物の下流側への移動を係止する係止部を有し、前記係止部は、陳列部の内外を連通させる切り欠き部を備えることを特徴とする文房具用陳列箱である。
【０００８】
本発明の文房具用陳列箱は、支持棒に吊り下げられるものであって、複数の陳列物を陳列可能な陳列部を備えているので、一度で複数の陳列物を陳列可能であり、一つずつ個別に陳列する場合に比べて、場所を取らない。また、支持棒に吊り下げられるのは、文房具用陳列箱であるから、陳列物の包装に特別な加工を施さなくても陳列できる。
また本発明の構成によれば、陳列部の内外を連通させる切り欠き部を備えているので、購買者が切り欠き部から指を挿入して陳列物を取り出しやすい。
さらに本発明の構成によれば、陳列部の載置部が傾斜しているので、例えば、陳列部の載置部上に陳列物を一列に並べることによって、下流側の陳列物を取り出すと、上流側の陳列物が載置部の傾斜に沿って移動し、係止部で係止される。そのため、陳列部に並んだ陳列物を下流側から順番に取り出すことができる。
【０００９】
請求項２に記載の発明は、前記切り欠き部の切り欠き幅は、前記陳列物の長手方向の１／３以上４／５以下であることを特徴とする請求項１に記載の文房具用陳列箱である。
【００１０】
本発明の構成によれば、切り欠き部の切り欠き幅が陳列物の長手方向の１／３以上であるから陳列物を取り出しやすく、陳列物の長手方向の４／５以下であるから切り欠き部から陳列物が落下しにくい。
【００１１】
上記した発明は、前記切り欠き部は、陳列物の長手方向の中間部に位置していてもよい。
【００１２】
請求項３に記載の発明は、前記載置部の水平面に対する傾斜角度は、３０度以上６０度以下であることを特徴とする請求項１又は２に記載の文房具用陳列箱である。
【００１３】
本発明の構成によれば、載置部の水平面に対する傾斜角度が３０度以上であるから、例えば、陳列物を載置部上に一列に並べ下流側の陳列物を取り出したときに、下流側にスムーズに陳列物が移動しやすい。また、載置部の水平面に対する傾斜角度が６０度以下であるから、例えば、陳列物を載置部上に一列に並べ下流側の陳列物を取り出したときに、陳列物がくずれにくい。
【００１４】
請求項４に記載の発明は、前記載置部を備えた傾斜形成部材を有し、前記傾斜形成部材は、一枚の紙状体を折り曲げて形成されており、前記傾斜形成部材は、前記載置部を傾斜姿勢に維持する脚部を備えていることを特徴とする請求項１〜３のいずれかに記載の文房具用陳列箱である。
【００１５】
本発明の構成によれば、傾斜形成部材が一枚の紙状体で形成されており、折り曲げ加工によって載置部を傾斜姿勢に維持する脚部を備えているので、載置部を傾斜した状態に維持しやすい。
【００１６】
請求項５に記載の発明は、外郭を形成する外郭形成部材を有し、前記外郭形成部材は、一枚の紙状体を折り曲げて形成されており、前記外郭形成部材は、正面を形成する正面壁部と、正面壁部の端部から折り返されて形成される折り返し部を有し、前記係止部は、前記折り返し部によって形成されており、前記折り返し部は、その先端部位に固定片を有し、前記固定片は、載置部の一部に挿入されていることを特徴とする請求項１〜４のいずれかに記載の文房具用陳列箱である。
【００１７】
本発明の構成によれば、折り返し部の先端部位に設けられた固定片が載置部の一部に挿入されているため、載置部と折り返し部との位置関係が維持しやすく、載置部の傾斜を維持しやすい。
【００１８】
請求項６に記載の発明は、所定の間隔を空けて対向する少なくとも２つの壁部を有し、前記２つの壁部のうち、一方の壁部は、正面の壁部を構成する正面壁部であり、前記２つの壁部に跨って支持棒が挿通されていることを特徴とする請求項１〜５のいずれかに記載の文房具用陳列箱である。
【００１９】
本発明の文房具用陳列箱は、支持棒を離間した２つの壁部で受けて軸支されている。すなわち、１本の支持棒に対して、少なくとも２箇所以上の部位で固定される。そのため、支持棒の軸方向に対して交差する方向にがたつきにくい。
【００２０】
請求項７に記載の発明は、前記２つの壁部のうち、他方の壁部は、背面の壁部を構成する背面壁部であることを特徴とする請求項６に記載の文房具用陳列箱である。
【００２１】
本発明の構成によれば、文房具用陳列箱の正面及び背面が支持棒によって固定されているので、よりがたつきにくく、安定性が高い。
【発明の効果】
【００２２】
本発明の文房具用陳列箱によれば、複数の陳列物を同時に展示でき、かつ、陳列物の取り出しが容易となる。
【図面の簡単な説明】
【００２３】
【図１】本発明の第１実施形態に係る文房具用陳列箱の使用状況を表す斜視図である。
【図２】図１の文房具用陳列箱の斜視図である。
【図３】図１の文房具用陳列箱を図２とは別の方向からみた斜視図である。
【図４】図１の文房具用陳列箱の分解斜視図である。
【図５】図１の文房具用陳列箱の正面図である。
【図６】図１の文房具用陳列箱の縦断面図である。
【図７】図１の文房具用陳列箱の一部を展開した斜視図である。
【図８】図４の外郭形成部材の展開図である。
【図９】図４の傾斜形成部材を別の方向からみた斜視図である。
【図１０】図１のゴンドラ什器を表す斜視図である。
【図１１】陳列物の一例である消しゴムを表す説明図であり、（ａ）は消しゴムの斜視図であり、（ｂ）は（ａ）と異なる方向からみた斜視図である。
【図１２】図１の文房具用陳列箱の組み立て手順の説明図であり、（ａ）は糊代部を側面形成部に接着した斜視図であり、（ｂ）は底面壁部を形成するときの斜視図である。
【図１３】図１の文房具用陳列箱の組み立て手順の説明図であり、（ａ）は傾斜形成部材を外郭形成部材の空間内に挿入する縦断面図であり、（ｂ）は折り返し部の固定片を固定用スリットに挿入する際の縦断面図であり、（ｃ）は重なり片を折り返す際の縦断面図である。
【図１４】図１の文房具用陳列箱の組み立て手順の説明図であり、（ａ）は上部フラップ部の差し込み部を差し込む際の斜視図であり、（ｂ）は係合片を係合孔に挿入する際の斜視図である。
【図１５】図１の文房具用陳列箱に消しゴムを収納したときの斜視図である。
【図１６】図１５の文房具用陳列箱から消しゴムを取り出す際の縦断面図である。
【図１７】図１の文房具用陳列箱に消しゴムを収納するときの他の収納例である。
【図１８】本発明の他の実施形態に係る文房具用陳列箱の使用状況を表す斜視図である。
【発明を実施するための形態】
【００２４】
以下、本発明の実施形態について詳細に説明する。なお、以下の説明において、文房具用陳列箱１の一部を立壁部１２１に立設された支持棒１２２に挿入して固定した状態を基準とする。
【００２５】
第１実施形態の文房具用陳列箱１は、図１に示されるように、外観形状が縦長の略直方体状をした箱であり、複数の消しゴム１００（陳列物）を陳列部８２に収納して陳列可能とするものである。
文房具用陳列箱１は、主にゴンドラ什器１２０の立壁部１２１に立設された支持棒１２２に支持されて設置されるものである。
【００２６】
文房具用陳列箱１は、図４に示されるように、外郭形成部材２と、傾斜形成部材３を備えている。
まず、外郭形成部材２の外形形状に注目すると、外郭形成部材２は、図８に示される１枚の厚紙（紙状体）を折り曲げ加工を行うことによって形成されるものである。
外郭形成部材２は、図２，図３に示されるように、天面壁部３０と、背面壁部３１と、正面壁部３２と、側面壁部３５，３６と、底面壁部３７を有している。
【００２７】
天面壁部３０は、図２に示されるように、文房具用陳列箱１の天面を形成する部位であり、前後方向Ｙに延びた長方形状の部位である。
背面壁部３１は、文房具用陳列箱１の背面を形成する部位であって、天地方向（上下方向Ｚ）に延びた縦長の長方形状の部位である。
背面壁部３１は、図３に示されるように上下方向Ｚの中央よりも上側であって、幅方向Ｘの中央に取付孔４５を有している。
取付孔４５は、支持棒１２２（図１参照）を挿通可能な孔であって、背面壁部３１を部材厚方向に貫通した貫通孔である。
取付孔４５は、支持棒１２２の側面に沿った開口形状をしており、本実施形態では、円形の開口形状をしている。取付孔４５の開口径は、支持棒１２２の外径よりも同じかやや大きい。
【００２８】
正面壁部３２は、図２に示されるように、上下方向Ｚに離間した上部壁部４０と、下部壁部４１から形成されている。上部壁部４０は、正面壁部３２の上部側の部位を形成する部位であり、下部壁部４１は、正面壁部３２の下部側の部位を形成する部位である。
すなわち、上部壁部４０と下部壁部４１は、上下方向Ｚ（天地方向）に所定の間隔を空けて配されており、同一平面上に並んでいる。
【００２９】
上部壁部４０は、天面壁部３０の前方側端部から下方に向けて直立した部位である。
また上部壁部４０は、厚紙を重ねて補強された部位であり、他の部位に比べて厚みが厚い。
上部壁部４０は、図２に示されるように幅方向Ｘの中央に取付孔４６を備えている。
取付孔４６は、支持棒１２２を挿通可能な孔であって、上部壁部４０を部材厚方向に貫通した貫通孔である。
取付孔４６は、上記した背面壁部３１の取付孔４５（図３参照）と対をなす穴であり、取付孔４５と同一の開口形状をしている。
すなわち、取付孔４６は、支持棒１２２の側面に沿った開口形状をしており、本実施形態では、円形の開口形状をしている。取付孔４６の開口径は、支持棒１２２の外径よりも同じかやや大きい。
また取付孔４６の中心軸は、背面壁部３１の取付孔４５の中心軸と同一方向を向いており、実質的に一致している。すなわち、取付孔４６の中心軸方向の投影面上に取付孔４５が位置しており、正面視したときに重なっている。
【００３０】
下部壁部４１は、底面壁部３７の前方側端部から上方に向けて直立した部位であり、その上端部から下方に向けて延びた切り欠き部５０を有している。
切り欠き部５０は、図５に示されるように、正面視したときに切り欠き形状が略「Ｕ」字状の切り欠きであり、その縁は円弧部５１と直線部５２，５３から形成されている。
すなわち、切り欠き部５０は、半オーバル状の切り欠きであり、直線部５２，５３が部壁部４１の上端部から下方に向けて平行に延びており、直線部５２，５３の下端部が円弧部５１によって接続されている。
切り欠き部５０の直線部５２，５３の間隔（切り欠き幅）は、消しゴム１００の長手方向の１／３以上４／５以下であることが好ましい。
この範囲であれば、消しゴム１００を取り出しやすく、消しゴム１００が落下しにくい。
また、下部壁部４１は、図２，図３から読み取れるように、その上端部から後方側に折り返した折り返し部５４が接続されている。
【００３１】
折り返し部５４は、図６に示されるように、下部壁部４１の上端部から後方に向けて所定の角度で折り返された部位であり、陳列時において、陳列対象たる消しゴム１００を係止する係止部である。
図６に示される下部壁部４１に対する折り返し部５４の折り返し角度θ１は、１５度以上４５度以下であることが好ましい。
この範囲であれば、消しゴム１００を収納したときに取り出しやすく、消しゴム１００を取り出すときに上流側の消しゴム１００が崩れにくい。
【００３２】
折り返し部５４は、その上端部（下部壁部４１との接続側端部）から下方かつ後方側に向けて切り欠かれた切り欠き部５６を有している。
切り欠き部５６は、切り欠き部５０と同様、切り欠き形状が略「Ｕ」字状の切り欠きであり、その縁は円弧部５７と直線部５８，５９から形成されている。
すなわち、切り欠き部５６は、半オーバル状の切り欠きであって、折り返し部５４の上端部から下方に向けて直線部５８，５９が平行に延びており、直線部５８，５９の下端部が円弧部５７によって接続されている。
また、切り欠き部５６の直線部５８，５９の長さは、切り欠き部５０の直線部５２，５３の長さより長く、文房具用陳列箱１を正面視したときに、切り欠き部５６の円弧部５７の位置は、切り欠き部５０の円弧部５１の位置と同等か、やや低い位置にある。
切り欠き部５６の直線部５８，５９の間隔（切り欠き幅）は、消しゴム１００の長手方向の１／３以上４／５以下であることが好ましい。
この範囲であれば、消しゴム１００を取り出しやすく、消しゴム１００が落下しにくい。
【００３３】
折り返し部５４は、図７に示されるように、その先端部に固定片５５が設けられている。
固定片５５は、折り返し部５４の先端部から突出した突出片であり、後述する傾斜形成部材の固定用スリット７５に挿入可能な部位である。
【００３４】
側面壁部３５は、図２から読み取れるように、側面視したときに略「コ」字状をした部位である。すなわち、側面壁部３５は、上下方向Ｚの中間部にあって、前後方向Ｙの前方側端部から後方側に向かって切り欠かれた側面切り欠き部６０を有している。
側面切り欠き部６０は、側面視したときに略直角三角形状をしており、その角部が取れて円弧状となっている。
側面切り欠き部６０は、図２に示されるように連続した直線部６１と、円弧部６２と、傾斜部６３から形成されている。
直線部６１は、上部壁部４０の下端部から前後方向Ｙの後方に向けて直線状に延びた部位である。
円弧部６２は、直線部６１の後端部から緩やかな円弧を描いて下方側に向けて方向変換する部位である。
傾斜部６３は、円弧部６２の下端部から斜め前方に傾斜した部位である。
【００３５】
側面壁部３６は、側面壁部３５と対となる部位であり、同一側面からみたときに同一形状をしている。すなわち、側面壁部３６は、図３に示されるように、側面切り欠き部６０と対をなす側面切り欠き部６５を有している。
側面切り欠き部６５は、側面切り欠き部６０と同様、直線部６６、円弧部６７、及び傾斜部６８を有している。
【００３６】
続いて、外郭形成部材２の展開図について、図８に則して説明する。
外郭形成部材２は、一枚の厚紙がいわゆるアメリカンロック式（ＪＩＳ０２１５）に基づいて形成されるものである。
外郭形成部材２は、正面形成部１０，１１、背面形成部１２、側面形成部１３，１４、上部フラップ部１５〜１７、係合片１８、下部フラップ部１９〜２２、重なり片２３、糊代部２４、及び折り返し片２５を有している。
【００３７】
正面形成部１０，１１及び重なり片２３は、正面壁部３２を形成する部位である。具体的には、正面形成部１０及び重なり片２３は、上部壁部４０を構成する部位であり、正面形成部１１は、下部壁部４１を構成する部位である。
また正面形成部１０及び重なり片２３は、ともに貫通孔を備えており、組み立てたときにそれぞれの貫通孔が連通して取付孔４６を形成可能となっている。
重なり片２３は、正面形成部１０の下端部と連続する部位であり、正面形成部１０の剛性を補強する部位である。
【００３８】
背面形成部１２は、側面形成部１４と連続する部位であって、組み立てたときに背面壁部３１を形成する部位である。すなわち、背面形成部１２は、取付孔４５を備えており、当該取付孔４５は、背面形成部１２と上部フラップ部１６の境界の近傍に位置している。
側面形成部１３，１４は、正面形成部１０，１１と連続する部位であって、組み立てたときに側面壁部３５，３６を形成する部位である。
上部フラップ部１５，１６は、正面形成部１０及び背面形成部１２の上端部と連続する部位であり、いわゆる内フラップである。
上部フラップ部１７は、側面形成部１３の上端部と連続する部位であり、いわゆる外フラップである。
外フラップたる上部フラップ部１７は、天面形成部２６と、差し込み部２７から形成されており、天面形成部２６と差し込み部２７との境界部位に係合孔２８を有している。
係合孔２８は、係合片１８を挿入可能なスリットであって、上部フラップ部１７を部材厚方向に貫通した貫通孔である。
【００３９】
係合片１８は、側面形成部１４の上端部近傍に設けられ、組み立て時に上部フラップ部１７の係合孔２８に挿入可能な小片である。
係合片１８は、側面形成部１４によって片持ち状に支持されており、自由端となっている。
【００４０】
下部フラップ部１９〜２２は、正面形成部１１、背面形成部１２及び側面形成部１３，１４のそれぞれの下端部に連続する部位であって、底面壁部３７を構成する部位であり、互いに係合して地獄底を形成する部位である。
【００４１】
糊代部２４は、背面形成部１２と連続する部位であって、背面形成部１２と側面形成部１３を不可分一体に糊付けする部位である。
【００４２】
折り返し片２５は、正面形成部１１の上端部で連続する部位であり、組み立てたときに折り返し部５４を構成する部位である。
折り返し片２５は、正面形成部１１とともに、一つのオーバル状の貫通孔２９を形成している。
貫通孔２９は、組み立てたときに正面壁部３２の切り欠き部５０及び折り返し部５４の切り欠き部５６を形成する孔である。
【００４３】
続いて、傾斜形成部材３について説明する。
【００４４】
傾斜形成部材３は、１枚の厚紙（紙状体）を折り曲げ加工を行うことによって形成されるものであり、消しゴム１００を取り出したときに上流側の消しゴム１００が流れる流路８１を形成する流路形成部材である。
【００４５】
傾斜形成部材３は、図４，図９に示されるように、消しゴム１００が載置される載置部７０と、載置部７０から下方に向けて折り曲げられ載置部７０を傾斜姿勢に維持する正面側脚部７１、背面側脚部７２、及び側面側脚部７３，７４を備えている。
載置部７０は、消しゴム１００を載置する部位であり、図６に示されるように、外郭形成部材２の底面壁部３７に対して所定の角度で傾斜した部位である。
図６に示される外郭形成部材２の底面壁部３７に対する載置部７０の傾斜角度θ２（水平面に対する載置部７０の傾斜角度）は、３０度以上６０度以下であることが好ましい。
この範囲であれば、下流側の消しゴム１００を取り出したときに、上流側の消しゴム１００がスムーズに下流側に流れるとともに、崩れにくい。
載置部７０の幅（幅方向Ｘの長さ）は、消しゴム１００の長手方向の長さよりもやや大きい。
【００４６】
載置部７０は、図４に示されるように、前方側端部であって、正面側脚部７１との境界部位に固定用スリット７５を備えている。
固定用スリット７５は、外郭形成部材２の固定片５５を固定するスリットであり、載置部７０の幅方向Ｘに延びた長孔である。
固定用スリット７５の長手方向の長さは、外郭形成部材２の固定片５５の長手方向の長さ（幅方向Ｘの長さ）とほぼ一致しており、載置部７０の幅方向Ｘの長さの６０パーセント以上８０パーセント以下の範囲となっている。
【００４７】
正面側脚部７１は、図４，図６から読み取れるように、受け部７６と、姿勢固定部７７から形成されている。
受け部７６は、載置部７０の前方端部から外郭形成部材２の底面壁部３７と平行となるように折り曲げられた部位である。
姿勢固定部７７は、受け部７６の先端から下方に向けて折り曲げられた部位であり、外郭形成部材２の下部壁部４１の内側面と対面する部位である。
【００４８】
背面側脚部７２は、図６に示されるように、載置部７０の後方端部から下方に向けて折り曲げられた部位であり、背面壁部３１の内側面と対面する部位である。
【００４９】
側面側脚部７３，７４は、図４，図９から読み取れるように、載置部７０の幅方向Ｘの両端部から下方に向けて折り曲げられた部位であり、側面壁部３５，３６の内側面と対面する部位である。
【００５０】
続いて、文房具用陳列箱１を吊り下げ可能なゴンドラ什器１２０について説明する。
ゴンドラ什器１２０は、図１０に示されるように、固定台座１２３に対して立ち上がった立壁部１２１と、立壁部１２１に対して立設された支持棒１２２を備えている。
立壁部１２１は、固定台座１２３に対して、垂直に立設された壁面である。
立壁部１２１は、その大部分が線状体が網目状に編み込まれて形成されており、支持棒１２２を取り付け可能となっている。
支持棒１２２は、いわゆるフックバーであり、立壁部１２１に対して取付け可能となっている。支持棒１２２は、立壁部１２１に対して直立した直立棒部１２５と、直立棒部１２５の先端部から上方に向かって所定の角度で傾斜した傾斜棒部１２６を有している。
直立棒部１２５は、主に文房具用陳列箱１を支持する部位である。
傾斜棒部１２６は、文房具用陳列箱１が直立棒部１２５から抜け落ちることを防止する部位である。
固定台座１２３は、床面に対して水平となるように固定される台座である。
【００５１】
続いて、陳列対象物として使用できる消しゴム１００の一例について説明する。
【００５２】
消しゴム１００は、公知の消しゴムであって、直方体状の消しゴムである。
すなわち、消しゴム１００は、図１１（ａ），図１１（ｂ）から読み取れるように、主面を形成する正面部９０及び背面部９１と、その側面を形成する上側面部９２、下側面部９３、左側面部９４、及び右側面部９５を有している。
【００５３】
続いて、本実施形態の文房具用陳列箱１の組み立て手順とともに、各部材の位置関係について説明する。
【００５４】
まず、図１２（ａ）に示されるように、糊代部２４に糊等の公知の接着剤を塗布し、各壁面形成部１０〜１４の境界に沿って折り曲げて、糊代部２４を側面形成部１３に接着する。
このとき、外郭形成部材２は、形成部１０〜１４に囲まれた空間８０を備えた四角筒状となっている。
正面形成部１０，１１（正面壁部３２）と背面形成部１２（背面壁部３１）は、空間８０を挟んで対向しており、側面形成部１３（側面壁部３５）と側面形成部１４（側面壁部３６）は、空間８０を挟んで対向している。
【００５５】
続いて、図１２（ｂ）に示されるように、各形成部１１〜１４に対して下部フラップ部１９〜２２を内側に織り込んで、互いに係合させて底面壁部３７を形成する。
このとき、空間８０の下方側が底面壁部３７によって閉塞されている。
【００５６】
次に、図１３（ａ）に示されるように空間８０内に傾斜形成部材３を上方側から挿入し、底面壁部３７上に各脚部７１〜７４を載置する。
このとき、正面側脚部７１の姿勢固定部７７の外側面は、正面形成部１１の内側面と面接触しており、背面側脚部７２の外側面は、背面形成部１２の内側面と面接触している。別の観点からみると、傾斜形成部材３の正面側脚部７１及び背面側脚部７２は、正面形成部１１及び背面形成部１２によって外側への広がりを規制されている。
同様に、側面側脚部７３，７４の外側面は、側面形成部１３，１４の内側面と面接触している。別の観点からみると、傾斜形成部材３の側面側脚部７３，７４は、側面形成部１３，１４によって外側への広がりを規制されている。すなわち、載置部７０は、各脚部７１〜７４によって、底面壁部３７に対して所定の角度で傾斜した傾斜姿勢に維持される。
また、一方の側面側脚部７３は、糊代部２４を避けるように配されており、側面側脚部７３の前後方向Ｙの端面と糊代部２４の先端面は、対面している。すなわち、糊代部２４によって側面側脚部７３の後方への移動が規制されている。
【００５７】
続いて、図１３（ｂ）に示されるように外郭形成部材２の正面形成部１１の上端部に接続された折り返し片２５を空間８０側に折り返し、固定片５５を傾斜形成部材３の固定用スリット７５に挿入する。
このとき、外郭形成部材２の折り返し部５４は、傾斜形成部材３の載置部７０に対して所定の角度で交差しており、角部を形成している。本実施形態では、折り返し部５４と載置部７０は略直交している。
【００５８】
また、図１３（ｃ）に示されるように上部側の正面形成部１０の下端部に接続された重なり片２３を折り返し、糊等の公知の接着剤によって重なり片２３と正面形成部１０の内側面を接着する。
このとき、正面形成部１０の貫通孔と、重ねり片２３の貫通孔が連通し、一つの連通孔たる取付孔４６が形成されている。
【００５９】
続いて、図１４（ａ）に示されるように、上部フラップ部１５，１６を内側（空間８０側）に折り曲げた後、上部フラップ部１７を折り曲げ、差し込み部２７を上部フラップ部１５，１６と側面形成部１４の間に差し込む。そして、係合片１８を係合孔２８に挿入して固定し、文房具用陳列箱１が完成する。
このとき、空間８０の上方側が天面壁部３０によって閉塞されており、天面壁部３０、背面壁部３１、正面壁部３２、側面壁部３５，３６、載置部７０、及び折り返し部５４によって陳列部８２が形成されている。
また、切り欠き部５０，５６は、前後方向に並んでおり、文房具用陳列箱１は、切り欠き部５０，５６によって陳列部８２の内外が連通している。
【００６０】
続いて、文房具用陳列箱１の使用方法について説明する。
【００６１】
まず、図１５に示されるように、複数の消しゴム１００を陳列部８２に陳列する。すなわち、複数の消しゴム１００を折り返し部５４から載置部７０に沿って載置して並べる。
このとき、消しゴム１００は、側面壁部３５，３６と載置部７０によって囲まれた流路上に配されており、側面壁部３５，３６によって載置部７０の傾斜方向に一列に並べられている。また、流れ方向に隣接する消しゴム１００は互いに面接触している。
すなわち、最下流に位置する消しゴム１００（１００ａ）の下側面部９３は折り返し部５４によって係止されている。その上流側に位置する消しゴム１００ｂ（１００）であって、かつ隣接する消しゴム１００ｂの下側面部９３は、当該最下流に位置する消しゴム１００ａの上側面部９２と面接触している。
また、消しゴム１００の長手方向の中間部は、切り欠き部５６を塞ぐように配されている。言い換えると、切り欠き部５６は、消しゴム１００の中腹に位置している。
さらに、本実施形態では、消しゴム１００は、複数段に並んでいる。すなわち、消しゴム１００の正面部上に消しゴム１００が載置されている。
【００６２】
次に、ゴンドラ什器１２０に固定された支持棒１２２を文房具用陳列箱１の取付孔４５，４６に挿通させる。
このとき、支持棒１２２の直立棒部１２５は取付孔４５，４６間に位置しており、傾斜棒部１２６は文房具用陳列箱１の外側に位置している。
【００６３】
そして、最下流に位置する消しゴム１００ａを取り出す場合には、図１６に示されるように、切り欠き部５０，５６から指を入れて最下流に位置する消しゴム１００ａを取り出す。
そうすると、消しゴム１００ａよりも上流側の消しゴム１００ｂ，１００ｃがその自重によって流路８１に沿って一体的にスライド移動し、下流側の消しゴム１００ｂが折り返し部５４に接触して係止される。
【００６４】
このように本実施形態の文房具用陳列箱１によれば、下流側の消しゴム１００が取り出されると、上流側の消しゴム１００が下流側にスライド移動するため、連続して消しゴム１００を供給することができる。
【００６５】
本実施形態の文房具用陳列箱１であれば、ゴンドラ什器１２０等の支持棒１２２に対して取り付けることで、多数の消しゴム１００を一度に陳列できる。
【００６６】
本実施形態の文房具用陳列箱１であれば、離間した上部壁部４０と、背面壁部３１の２つの壁部によって、支持棒１２２に固定されるため、１箇所の壁部によって固定される場合に比べて、がたつきにくい。
【００６７】
上記した実施形態では、傾斜形成部材３を空間８０に収納してから、重なり片２３を折り返して重なり片２３と正面形成部１０を接着して上部壁部４０を形成したが、本発明はこれに限定されるものではなく、傾斜形成部材３を空間８０に収納する前に上部壁部４０を形成してもよい。例えば、糊代部２４と側面形成部１３との糊付けと同時に重なり片２３と正面形成部１０を糊付けして上部壁部４０を形成してもよい。
【００６８】
上記した実施形態では、消しゴム１００の正面部９０が載置部７０に対して平行となるように設置したが、本発明はこれに限定されるものではなく、図１７に示されるように消しゴム１００の正面部９０が載置部７０に対して垂直となるように設置してもよい。多数の消しゴム１００を載置部７０上に一列に並べることができる。
【００６９】
上記した実施形態では、陳列対象物が消しゴムであったが、本発明はこれに限定されるものではなく、ステープラー芯の収容箱等の他の箱状の文房具を陳列してもよい。
【００７０】
上記した実施形態では、載置部７０上に複数の消しゴム１００を一列に並べていたが、本発明はこれに限定されるものではなく、図１８に示されるように載置部７０上に消しゴムを複数列に並べてもよい。
【００７１】
上記した実施形態では、外郭形成部材２及び傾斜形成部材３のそれぞれを一枚の厚紙で形成したが、本発明はこれに限定されるものではなく、それぞれ複数枚の厚紙で形成してもよい。また、外郭形成部材２及び傾斜形成部材３は、それぞれ厚紙以外の材料で形成してもよい。例えば、樹脂製の板状体を折り曲げて形成してもよいし、金属製の薄板を折り曲げて形成してもよい。
【符号の説明】
【００７２】
１  文房具用陳列箱
２  外郭形成部材
３  傾斜形成部材
３１  背面壁部
３２  正面壁部
５０  切り欠き部
５４  折り返し部（係止部）
５５  固定片
５６  切り欠き部
７０  載置部
７１  正面側脚部（脚部）
７２  背面側脚部（脚部）
７３，７４  側面側脚部（脚部）
８２  陳列部
１００  消しゴム（陳列物）
１２０  ゴンドラ什器
１２２  支持棒
【図１】
2016097262.tif 000003
【図２】
2016097262.tif 000004
【図３】
2016097262.tif 000005
【図４】
2016097262.tif 000006
【図５】
2016097262.tif 000007
【図６】
2016097262.tif 000008
【図７】
2016097262.tif 000009
【図８】
2016097262.tif 000010
【図９】
2016097262.tif 000011
【図１０】
2016097262.tif 000012
【図１１】
2016097262.tif 000013
【図１２】
2016097262.tif 000014
【図１３】
2016097262.tif 000015
【図１４】
2016097262.tif 000016
【図１５】
2016097262.tif 000017
【図１６】
2016097262.tif 000018
【図１７】
2016097262.tif 000019
【図１８】
2016097262.tif 000020